(57)【特許請求の範囲】
【請求項１】
周波数変調（ＦＭ）された受信信号の検波を行うＦＭ検波器と、
前記ＦＭ検波器から出力される検波信号をステレオ復調するステレオ復調部と、
前記ＦＭ検波器から出力される検波信号に基づいて前記ステレオ復調部を制御する制御部と、
を備えるＦＭラジオ復調システムであって、
前記制御部は、
前記ＦＭ検波器から出力される前記検波信号に含まれるパイロット信号の信号強度を検出するパイロット信号強度検出部と、
前記パイロット信号の近傍周波数帯の信号であるサイドバンド信号の信号強度を検出するサイドバンド信号強度検出部と、を備え、
検出された前記パイロット信号の信号強度と、検出された前記サイドバンド信号の信号強度との比の値に基づき、前記ステレオ復調部を制御すること
を特徴とするＦＭラジオ復調システム。
【請求項２】
前記サイドバンド信号強度検出部は、
前記パイロット信号近傍の信号であって前記パイロット信号よりも高域の周波数帯に含まれる信号である高周波サイドバンド信号の信号強度を検出する高周波サイドバンド信号強度検出部と、
前記パイロット信号近傍の信号であって前記パイロット信号よりも低域の周波数帯に含まれる信号である低周波サイドバンド信号の信号強度を検出する低周波サイドバンド信号強度検出部と、を備え、
前記制御部は、
検出された前記パイロット信号の信号強度と、検出された前記高周波サイドバンド信号強度の信号強度と前記低周波サイドバンド信号強度の信号強度との和と、の比に基づき、前記ステレオ復調部を制御すること
を特徴とする請求項１に記載のＦＭラジオ復調システム。
【発明の詳細な説明】
【技術分野】
【０００１】
本発明は、ＦＭ（周波数変調）ラジオ受信時のＦＭ復調障害を検出し、雑音の発生を抑制するＦＭラジオ復調システムに関する。
【背景技術】
【０００２】
ＦＭラジオ受信時のマルチパスや妨害波、電波強度の過大、過小、回路上の雑音などによりＦＭ復調に障害が生じると、生成された音声信号に聴感上不快な白色性の大きな雑音が発生する。典型例として、ビル街を移動する自動車内でＦＭラジオ放送を受信する際、マルチパスに伴う電波の局所空間的電力減衰により、バーストノイズが発生する現象が知られている。
【０００３】
現在、特にマルチパス妨害に着目したノイズ発生検出手段として、希望波（所望の周波数の信号）エネルギーの一時的低下を検出する方法、パイロット信号のエネルギー低下を検出する方法、希望波エネルギーの一時的低下を検出する方法にパイロット信号の側波帯のエネルギー増加を検出する方法などを組み合わせた検出方法が知られている（例えば、特許文献１）。
【０００４】
また、ノイズ発生検出時のノイズ抑圧方法として、オーディオ出力信号の一時的停止、強制モノラル化、あるいは音量低減などによる抑圧方法が一般的に知られている。
ところで、希望波エネルギーの一時的低下に基づいたマルチパス妨害検出方法の欠点として、希望波が過変調の場合、通常希望波エネルギーの検出にバンドパスフィルタを用いていることから、その出力が瞬間的に低下し、マルチパス妨害として誤判定してしまうという問題がある。このような問題に対し、特許文献２には、検出閾値を変調度に応じて切り換える方法が開示されている。
【先行技術文献】
【特許文献】
【０００５】
【特許文献１】特開２００２−２７１２１９号公報
【特許文献２】特開２００９−２７８５２５号公報
【発明の概要】
【発明が解決しようとする課題】
【０００６】
しかしながら、特許文献２のように、検出閾値を変調度に応じて切り換える方法では、変調度の推定値は変調信号の分散の状態により変化するため、その制御を適切に行うことは難しいという問題がある。
一方、特許文献１では、希望波エネルギーの一時的低下とパイロット信号の側波帯エネルギーが閾値以上であることを組み合わせてマルチパス妨害の発生を検出しているが、Ｌ＋Ｒのモノラル信号成分の混入やレベル変動などの理由により、ノイズ検出の精度は低い。加えて、過変調でない場合にはノイズ発生検出手段を適用しないため、マルチパス妨害以外の原因で発生するノイズを抑圧することはできない。
【０００７】
また、マルチパス妨害以外にも、妨害波、電波電力の過大、過小、回路上の雑音など予期せぬ原因でＦＭ復調障害が発生することがあり、これらがノイズ発生の原因になる。
そこで本発明では、過変調信号であってもマルチパス妨害を精度良く検出することに加え、原因の如何にかかわらず、ＦＭ復調障害に伴う白色性ノイズの発生をそのノイズの程度も含めて比較的簡易なアルゴリズムで検出し、抑圧することが可能なＦＭラジオ復調システムを提供することを目的とする。
【課題を解決するための手段】
【０００８】
上記問題を解決するための本発明の一態様は、周波数変調（ＦＭ）された受信信号の検波を行うＦＭ検波器と、前記ＦＭ検波器から出力される検波信号をステレオ復調するステレオ復調部と、前記ＦＭ検波器から出力される検波信号に基づいて前記ステレオ復調部を制御する制御部と、を備えるＦＭラジオ復調システムであって、前記制御部は、前記ＦＭ検波器から出力される前記検波信号に含まれるパイロット信号の信号強度を検出するパイロット信号強度検出部と、前記パイロット信号の近傍周波数帯の信号であるサイドバンド信号の信号強度を検出するサイドバンド信号強度検出部と、を備え、検出された前記パイロット信号の信号強度と、検出された前記サイドバンド信号の信号強度との比の値に基づき、前記ステレオ復調部を制御することを特徴とするＦＭラジオ復調システムである。
この構成によれば、過変調信号であってもマルチパス妨害を精度良く検出することが可能であるとともに、ＦＭ復調障害に伴う白色性ノイズの発生を比較的簡易なアルゴリズムで検出し、抑圧することができる。
【０００９】
また、本発明の他の態様は、前記サイドバンド信号強度検出部は、前記パイロット信号近傍の信号であって前記パイロット信号よりも高域の周波数帯に含まれる信号である高周波サイドバンド信号の信号強度を検出する高周波サイドバンド信号強度検出部と、前記パイロット信号近傍の信号であって前記パイロット信号よりも低域の周波数帯に含まれる信号である低周波サイドバンド信号の信号強度を検出する低周波サイドバンド信号強度検出部と、を備え、前記制御部は、検出された前記パイロット信号の信号強度と、検出された前記高周波サイドバンド信号強度の信号強度と前記低周波サイドバンド信号強度の信号強度との和と、の比に基づき、前記ステレオ復調部を制御することを特徴とするＦＭラジオ復調システムである。
この構成によれば、過変調信号であってもマルチパス妨害を精度良く検出することが可能であるとともに、ＦＭ復調障害に伴う白色性ノイズの発生を比較的簡易なアルゴリズムで検出し、抑圧することができる。
【発明の効果】
【００１０】
本発明によれば、過変調信号であってもマルチパス妨害を精度良く検出することが可能であるとともに、ＦＭ復調障害に伴う白色性ノイズの発生を比較的簡易なアルゴリズムで検出し、抑圧することができる。
【図面の簡単な説明】
【００１１】
【図１】本発明の一実施形態に係るＦＭラジオ受信装置のブロック図である。
【図２】ＦＭ復調障害が発生していない場合の検波信号スペクトルの一例を示す図である。
【図３】ＦＭ復調障害が発生している際の検波信号スペクトルの一例を示す図である。
【図４】２次ＩＩＲ型ピーキングフィルタの構成を示す図である。
【図５】バンドパスフィルタＨＬ２１、ＨＣ２２、ＨＨ２３を実現する各ピーキングフィルタの周波数応答を示す図である。
【図６】ノイズ抑圧指標とノイズ抑圧制御の一例を示す図である。
【図７】ノイズ抑圧指標と出力ゲインとの関係を示す図である。
【図８】ノイズ尤度検出とノイズ抑圧の一例を示す図である。
【図９】バーストノイズが存在する場合の検波信号スペクトルの一例を示す図である。
【図１０】白色ノイズが一様に浅く存在する場合の検波信号スペクトルの一例を示す図である。
【発明を実施するための形態】
【００１２】
以下、本発明に係る実施の形態について、図面を参照しながら説明する。以下の説明において参照する各図では、他の図と同等部分は同一符号によって示す。
（ＦＭラジオ受信装置の構成）
図１は、本実施形態に係るＦＭラジオ受信装置の構成例を示す図である。図１に示されるＦＭラジオ受信装置１は、ＦＭラジオを受信してステレオ出力することが可能な受信装置であり、ステレオ復調においては和差方式を採用するものとする。なお、本実施形態においては、ＦＭラジオ受信装置１がデジタル方式である場合について説明するが、アナログ方式であってもよい。
【００１３】
ＦＭラジオ受信装置１は、アンテナ１０と、低雑音増幅器１１と、ＲＦ（Radio Frequency）フロントエンド部１２と、アナログデジタル変換器（Ａ／Ｄ変換器）１３と、ＦＭラジオ復調システム２とを有する。ＦＭラジオ復調システム２は、ＦＭ検波器１４と、ノイズ発生検出部１５と、ステレオ復調部１６とにより構成される。
低雑音増幅器１１はアンテナ１０で受信された微弱な信号を増幅する。ＲＦフロントエンド部１２は、低雑音増幅器１１で増幅された信号に対して正弦波を畳み込むことで特定の周波数の信号を中間周波数にダウンコンバートするミキサー処理、およびセラミックフィルタなどのバンドパスフィルタで不要な周波数成分を除去する処理を経て、ＩＦ（中間周波数：Intermediate Frequency）信号を出力する。
【００１４】
Ａ／Ｄ変換器１３は、ＲＦフロントエンド部１２から出力されるＩＦ信号をアナログからデジタルに変換する。また、ＦＭ検波器１４は、デジタル変換された信号に対して検波（復調）処理を行う。
ところで、ＦＭ検波器１４で検波された検波信号は、典型的なマルチパス妨害により瞬間的にバーストノイズが発生する場合は図９のようなスペクトルを持ち、一方、継続的に雑音が発生する場合は図１０のようなスペクトルを持つ。
【００１５】
ＦＭ復調障害が無い瞬間と、ある瞬間の検波信号のスペクトルをそれぞれ詳細に図示すると、図２、図３のようになる。それぞれ、縦軸が信号の大きさ、横軸が信号の周波数である。また、パイロット信号の周波数は１９ｋＨｚ、差信号の周波数は３８ｋＨｚである。
図２と図３のスペクトルを比較すると、後者は前者に比べ、パイロット信号成分の１９ｋＨｚにおけるエネルギーピークが下がっている一方、その近傍のエネルギー（例えば、１８〜２０ｋＨｚ辺り）は増加している。
【００１６】
すなわち、ＦＭ復調障害が強くなるにつれ、その検波信号のスペクトルは周波数的偏りの無い一様分布に近づく。乱れの程度はまちまちであるが、わずかな乱れも高感度に検出することが好ましい。そこで、本実施形態に係るＦＭラジオ受信装置では、その検出方法として、検波信号に含まれる１９ｋＨｚパイロット信号のエネルギーが低下すると共に、その近傍のエネルギーが増加するという現象を捉えることでノイズ発生検出を行うこととし、そのためのノイズ発生検出部１５が設けられている。
【００１７】
（ノイズ発生検出部１５の構成）
ノイズ発生検出部１５は、パイロット信号のエネルギー（信号強度）ＰＣ、パイロット信号よりも低域の周波数帯に含まれる信号である低周波サイドバンド信号の信号強度（以下、「低域側近傍エネルギー」という）ＰＬ、パイロット信号よりも高域の周波数帯に含まれる信号である高周波サイドバンド信号の信号強度（以下、「高域側近傍エネルギー」という）ＰＨのそれぞれの値を検出する。そして、検出されたパイロット信号のエネルギーＰＣと、検出された高周波サイドバンド信号強度の信号強度と低周波サイドバンド信号強度の信号強度との和と、の比の値に基づき、ステレオ復調部１６を制御する。
【００１８】
具体的には、ノイズ尤度（ＰＬ＋ＰＨ）／ＰＣを求め、その値に応じてノイズ抑圧を行う。一例としてノイズ尤度がある閾値以上になったら、その超過量に応じて強制モノラル化、高域抑圧、音量低減を順に強めてノイズ抑圧を実現する場合等が挙げられる。
ノイズ発生検出部１５は、パイロット信号のエネルギーを検出するパイロット信号強度検出部（ＨＣ２２）と、低域側近傍エネルギーを検出する低周波サイドバンド信号強度検出部（ＨＬ２１）と、高域側近傍エネルギーを検出する高周波サイドバンド信号強度検出部（ＨＨ２３）と、エネルギー比較部２４を有する。本実施形態では、ノイズ発生検出部１５は、図１に示されるように、それぞれ、１８〜１８．５ｋＨｚ、１９ｋＨｚ、１９．５〜２０ｋＨｚを中心周波数に持つ帯域幅の狭いバンドパスフィルタＨＬ２１、ＨＣ２２、ＨＨ２３と、エネルギー比較部２４とを有する。これらのバンドパスフィルタＨＬ２１、ＨＣ２２、ＨＨ２３は、ＦＭ検波器１４から出力される検波信号の入力を受け付ける。また、各バンドパスフィルタＨＬ２１、ＨＣ２２、ＨＨ２３を通過して得られた信号はエネルギー比較部２４に入力される。
【００１９】
（バンドパスフィルタＨＬ２１、ＨＣ２２、ＨＨ２３）
ノイズ発生検出部１５が有するバンドパスフィルタＨＬ２１、ＨＣ２２、ＨＨ２３は、図４に示されるような２次ＩＩＲフィルタによって実現することが可能である。なお、図４に示される２次ＩＩＲフィルタの伝達関数は、以下の（式１）によって示される。
【００２０】
【数１】
0005687116.tif 000002
【００２１】
より具体的には、バンドパスフィルタＨＬ２１、ＨＣ２２、ＨＨ２３は、１９ｋＨｚとその周辺に中心周波数をもつ３つのピーキングフィルタと呼ばれる２次ＩＩＲフィルタにより実現される。また、上述したように、本実施形態においては、各ピーキングフィルタの中心周波数は、それぞれ下から１８．２５ｋＨｚ、１９ｋＨｚ、１９．７５ｋＨｚに設定される。各ピーキングフィルタは、図５に示されるような周波数特性を持つフィルタである。
【００２２】
（エネルギー比較部２４）
エネルギー比較部２４は、バンドパスフィルタＨＬ２１、ＨＣ２２、ＨＨ２３を通過して得られた各信号をそれぞれ二乗することにより求められるエネルギーＰＬ、ＰＣ、ＰＨの値を用いて、ｒ＝（ＰＬ＋ＰＨ）／ＰＣを演算する。そして、この演算結果をノイズ尤度信号としてステレオ復調部１６に出力する。
尚、エネルギーＰＬ、ＰＣ、ＰＨは、バンドパスフィルタＨＬ２１、ＨＣ２２、ＨＨ２３を通過して得られた各信号をそれぞれ二乗し、１次スムージングすることにより求められるエネルギー値であってもよい。ここで一次スムージングとは、取得したフィルタの出力信号と過去分のフィルタの出力信号とに基づき、ノイズ尤度の算出に使用するエネルギーＰＬ、ＰＣ、ＰＨの値を算出する処理である。この一次スムージングにより、突発的なエネルギー出力値の変動による誤検出を抑制することができる。
【００２３】
ステレオ復調部１６は、ＦＭ検波器１４から検波信号として出力されるモノラル信号に、差信号を加算もしくは減算することによってステレオ信号を出力する。また、ステレオ復調部１６は、ノイズ抑圧制御型復調器３１を有する。ノイズ抑圧制御型復調器３１は、ステレオ復調する際、エネルギー比較部２４で算出されたノイズ尤度信号をもとにセパレーションや高域抑圧、音量を制御することで、ノイズ成分を抑圧して、オーディオ出力信号を出力する。
【００２４】
ここで、本実施形態に係るＦＭラジオ受信装置と特許文献１のＦＭラジオ受信装置とを対比すると、特許文献１ではノイズ検出において、単にパイロット信号の低域側近傍エネルギーＰＬを出力している。また、その他一般的な方法として、パイロット信号の信号レベルを指標として１／ＰＣを出力する方法もある。しかしながら、いずれの方法もパイロット信号の信号強度（エネルギーＰＣ）と、パイロット信号の近傍周波数帯の信号であるサイドバンド信号の信号強度（エネルギーＰＬ、ＰＨ）との比を取らないことから、検出精度が低く、かつ信号レベルの変動の影響を受ける。
【００２５】
一方、本実施形態に係るＦＭラジオ受信装置では、エネルギー比較部２４において、エネルギーＰＣと、エネルギーＰＬおよびＰＨとの比を取るため、従来のノイズ検出方法と比較して、ノイズ検出精度が高くなり、かつ信号レベルの変動の影響を受けにくく、ノイズ抑圧性能が向上する。
なお、上述したノイズ尤度ｒの演算の簡略方式としては、閾値判定が等価なものとして、（ＰＬ＋ＰＨ）＊Ｇ−ＰＣ（Ｇは所定の定数）を用いる方法も考えられる。また、ＰＬ／ＰＣ、もしくは、ＰＨ／ＰＣを用いてもよい。（ＰＬ＋ＰＨ）／ＰＣを算出する方法よりも精度がわずかに落ちるもののフィルタを１つ減らすことができるため、構成がより簡潔なものとなる。また、これらを適用しても本実施形態に係るＦＭラジオ受信装置の本質を損なわず、さほど遜色のない性能が期待できる。
【００２６】
（ステレオ復調部１６の構成）
（ノイズ抑圧制御型復調器３１）
ステレオ復調部１６は、ＦＭ検波器１４から出力される検波信号をステレオ復調する。本実施形態においては、ステレオ復調部１６は、１９ｋＨｚ未満のＬ＋Ｒモノラル信号と、３８ｋＨｚを中心に上下に広がる信号を周波数シフトして求めたＬ−Ｒ差信号とを加減算することでＬとＲのステレオオーディオ出力信号を得る。
【００２７】
ところで、ＦＭ復調障害でノイズが多い、つまり、ノイズ尤度ｒの値が大きい場合は、加減算するＬ−Ｒ差信号の量を意図的に減じる「セパレーション制御」、聴感上ノイズが大きい高い周波数成分を減じる「高域抑圧制御」、音量を制限する「音量制御」、などを適用することでノイズを抑圧することができる。本実施形態においては、ノイズ抑圧制御型復調器３１において、これらのノイズ抑圧制御を段階的に適用する。以下、各ノイズ抑圧制御についての具体例を説明する。
【００２８】
（セパレーション制御）
セパレーション制御は、Ｌ＋Ｒモノラル信号とＬ−Ｒ差信号を入力とし、セパレーションパラメータαを用い、ステレオオーディオ出力ＬoutおよびＲoutを、以下の式により導出する。
Ｌout＝｛（Ｌ＋Ｒ）＋α（Ｌ−Ｒ）｝／２
Ｒout＝｛（Ｌ＋Ｒ）−α（Ｌ−Ｒ）｝／２
この際、ＦＭ復調が良好な状態においてはα＝１として、Ｌout＝Ｌ、Ｒout＝Ｒと信号を完全に分離するが、ノイズが多くＦＭ復調の状態が悪い場合には、前記式の差信号の加減算に伴い白色性雑音成分が増加することから、α＝０とすることで、Ｌout＝Ｒout＝（Ｌ＋Ｒ）／２（すなわち完全なモノラル信号）とし、ノイズを軽減する。なお、ＦＭ復調の状態の良し悪しについては、例えば、エネルギー比較部２４で算出されるノイズ尤度rの値が所定値以上であるか否かで決定する等となっていればよい。
【００２９】
（高域抑圧制御）
高域抑圧制御では、一般的に高域ほどノイズが知覚されやすいことから、カットオフ周波数が１０ｋＨｚ程度のＦＩＲ（Finite Impulse Response）型ローパスフィルタを適用すると、ローパスフィルタのオン、オフに伴う異音の発生を抑えつつ聴感上のノイズを軽減できる。
【００３０】
（音量制御）
音量制御では、ノイズ発生部分の音量を抑制することで聴感上のノイズを軽減する。具体的には、ノイズ尤度に基づき復調されたステレオ音声信号にゲインを乗じて音量を抑える。ゲインｇは、通常時の１を起点としてノイズ尤度rが増えるに従い減じていく。具体的には、以下の式によりＬout、Ｒoutを導出する。
Ｌout＝ｇ×｛（Ｌ＋Ｒ）＋α（Ｌ−Ｒ）｝／２
Ｒout＝ｇ×｛（Ｌ＋Ｒ）−α（Ｌ−Ｒ）｝／２
また、ゲインｇに０〜０．５の下限値を設けると、出力音声の聴感上の安定感が得られやすい。
以上の３つのノイズ抑圧制御機能を統合する場合は、例えば、ノイズ尤度ｒからノイズ抑圧指標ｄを以下の式によって求め、必要に応じてノイズ抑圧指標ｄに時間方向のスムージングをかける。
ｄ＝（ｒ−ｒth）p
【００３１】
図６は、ｐ＝０．２５とした時のノイズ抑圧指標ｄの値によって実行すべきノイズ抑圧制御を示すものであるが、スムージングをかけた後のノイズ抑圧指標ｄの値に応じて、図６に従い、実行すべき制御を決定する。なお、図６においては、ノイズ抑圧指標ｄの値が高くなるに従って、セパレーション制御、高域抑圧制御、音量制御を順次、実行していくように定められている。
ノイズ抑圧指標ｄと出力ゲインｇの関係の一例を図７に示す。図７においては、縦軸が出力ゲインｇであり、横軸がノイズ抑圧指標ｄである。
【００３２】
（実施例）
以上のノイズ抑圧処理を実際に適用した場合のオーディオ出力波形とそのスペクトルの一例を図８に示す。図８（１）はＦＭ検波器１４から出力される検波信号のスペクトルである。図８（２）は図８（１）の検波信号をノイズ抑圧処理を行わずにステレオ復調した場合のスペクトルである。また、図８（３）は図８（１）の検波信号に対してノイズ抑圧処理を行ってステレオ復調した場合のスペクトルである。図８の例では、ＦＭ復調障害が全般に弱く存在し、かつ図８において（バーストノイズの顕著な部分）と記載の矢印部分ではバースト性の顕著なノイズが発生している。図８（２）に示されるように、聴感上有意なノイズが発生している部分でノイズ抑圧指標ｄが上がっており、図８（３）と図８（２）とを比較すると、出力ゲインｇなどによりバーストノイズが有効に抑圧されていることがわかる。聴感実験でもその有効性は確認されている。
【００３３】
なお、ＲＦフロントエンド部１２やＦＭ検波器１４において、希望波のエネルギーの急激な減少や、妨害波の影響、等化器等によるＦＭ復調障害を検出する手段が別途存在する場合、ノイズ抑圧制御型復調器３１にそれらの手段で検出したＦＭ復調障害に関する情報を加えて総合判断するようになっていてもよい。これにより、さらに良好なノイズ抑圧制御性能が期待できる。
【００３４】
ところで、特許文献１のようにノイズ尤度を２値で判定する方法では、マルチパス妨害検出時には基本的に音をミュートしてしまうため、誤判定に対する悪影響が大きい。例えば、図９に示されるようなマルチパス妨害に起因するバーストノイズに対してはある程度の効果は期待できるものの、図１０に示されるようにＦＭ復調が時間的に一様に浅く乱れて白色性ノイズが発生し得る状況においては、音が途切れ途切れになり非常に聞き苦しくなってしまう。
【００３５】
これに対し、上記実施形態に係るＦＭラジオ受信装置については、ノイズ抑圧指標ｄの値に応じて、４段階で異なるノイズ抑圧処理が適用されるようになっている。さらに、セパレーション制御、高域抑圧制御、音量制御の順に、ノイズ抑圧制御を重畳的に適用していくため、一様に浅く発生する白色性ノイズが存在するような場合であっても、出力音声が途切れ途切れになって、聞き苦しくなるのを低減させることができる。
【産業上の利用可能性】
【００３６】
本発明は、受信時のＦＭ復調障害を検出し、雑音の発生を抑圧する機能を有するＦＭラジオ受信装置に好適である。
【符号の説明】
【００３７】
１  ラジオ受信装置
２  ラジオ復調システム
１０  アンテナ
１１  低雑音増幅器
１２  フロントエンド部
１３  変換器
１４  検波器
１５  ノイズ発生検出部
１６  ステレオ復調部
２１  低周波サイドバンド信号用バンドパスフィルタ
２２  パイロット信号用バンドパスフィルタ
２３  高周波サイドバンド信号用バンドパスフィルタ
２４  エネルギー比較部
３１  ノイズ抑圧制御型復調器
【図１】
0005687116.tif 000003
【図２】
0005687116.tif 000004
【図３】
0005687116.tif 000005
【図４】
0005687116.tif 000006
【図５】
0005687116.tif 000007
【図６】
0005687116.tif 000008
【図７】
0005687116.tif 000009
【図８】
0005687116.tif 000010
【図９】
0005687116.tif 000011
【図１０】
0005687116.tif 000012